(57)【要約】      （修正有）【課題】胃瘻患者が胃瘻チューブによるストレスを軽減でき、快適な生活を送ることができるよう、且つ介護負担の軽減が可能となる患者用衣類を提供する。【解決手段】上着の前身頃１と後身頃を両肩部で連結する２本のベルト３と、腰部を締めるベルト５と、前身頃の腰部両端部に取り付けた２個所のベルト通し６で構成され、前身頃の胃瘻孔部位相当位置に当て布７をし、当て布の左右いずれか片方の側辺部の全長及び他方の側辺部の上辺部から約６割を縫合し、未縫合部をチューブ引出口横部位としたことを特徴とする。【選択図】図１
0003190176.tif 000002
【実用新案登録請求の範囲】
【請求項１】
上着の前身頃（１）と後身頃（２）と、前記前身頃と後身頃を両肩部で連結する２本の肩ベルト（３Ａ）、（３Ｂ）と、前記２本の肩ベルトの前記前身頃側の先端部分に取り付けられたホック（４Ａ）、（４Ｂ）と、腰部を締めるベルト（５）と、前記前身頃の腰部両端部に取り付けた２個所のベルト通し（６Ａ）、（６Ｂ）と、で構成されることを特徴とする胃瘻患者用衣類。
【請求項２】
前記前身頃の胃瘻チューブ取り付け部分に、前記胃瘻用チューブＣが貫通可能なチューブ引出口Ａが前記チューブ引出口を覆う縦長の当て布（７）を載置し、該当て布の左右何れか一方の側辺部の全長及び他方の側辺部の上辺部から約６割を縫合することにより、未縫合部をチューブ引出口横部位（Ｂ）としたことを特徴とする胃瘻患者用衣類。
【考案の詳細な説明】
【技術分野】
【０００１】  本考案は胃瘻患者が栄養等注入チューブを留置したままで使用する衣類に関するものである。
【背景技術】
【０００２】  経口摂取が不可能または困難な患者に対して、人為的に皮膚と胃に瘻孔形成しチューブ留置して、食物や水分、医薬品を流入させ投与が行われている。
このような胃瘻患者が使用するチューブは常時皮膚に触れた状態で前胸部に留置され、一日に数回行われる流入作業はチューブを衣類の中から外へ出して行うため、患者本人の違和感を配慮しつつ、感染等の予防を行うなど多大な労力を要している。【０００３】  また、患者にとってもチューブがフリーのため、タオルやバンドで固定され、身体的に窮屈な状態であるが、固定しなければチュウーブの暴れを防げず感染の原因となり、夏場などは発汗による皮膚トラブルが絶えない状況である。
下記、文献１にチューブの脱着や遊びを係止する衣類が提案されている。
【先行技術文献】
【特許文献】
【０００４】
【特許文献１】特開２０１３−１１７０７７号公報
【考案の開示】
【考案が解決しようとする課題】
【０００５】  そこで本考案は上記の実情に鑑み、不安定となるチューブを安定した位置に収め、患者の皮膚に触れることなく清潔な状態にすることができ、体位交換を容易に行い、側臥位になってもチューブは邪魔にならず、胃瘻周囲に張り付いたり垂れ下がることを防ぎ自己抜去することの予防になる等、胃瘻患者のさまざまなストレスや介護者の介護負担を軽減することを目的とするものである。
【課題を解決するための手段】
【０００６】  本考案は、上記課題を解決するために衣服の構成を以下の通りとした。
上着前身頃（１）と後身頃（２）は肩でつながっており、着脱や衣類交換がスムーズに行えるよう後身頃の左右より肩ベルト（３）様式で前身頃に渡し、ホック（４）で留め、胃瘻チューブ（Ｃ）が正常な位置に収まることを特徴とする。【０００７】  後身頃の腰部を締めるベルト（５）を前身頃のベルト通し（６）に通し、胃瘻患者の下腹部で結び胃瘻患者の体型に合わせ、着脱可能となっていることを特徴とする。【０００８】  上着の胃瘻孔部位相当位置に当て布をし、当て布の左右いずれか片方の側辺部の全長及び他方の側辺部の上辺部から約６割を縫合し、未縫合部をチューブ引出口横部位（Ｂ）としたことを特徴とする。【０００９】  ついで、胃瘻孔チューブの使用方法について述べる。
定期の経管栄養ほか水分注入の際は、頭方向に向いているチューブ先端をチューブ引出口横部位（Ｂ）より引き出し、カテーテル（Ｄ）をつないで施行する。
終了後、チューブ引出口横部位（Ｂ）からくぐらせたチューブを当て布（７）の内部に戻し、頭方向に向かせることを特徴とする。
【考案の効果】
【００１０】  本考案は以下の如き効果を奏する。
即ち本考案においては、衣類を乱すことなく胃瘻チューブをチューブ引き出し口（Ａ）から出し、当て布（７）の内部にチューブを安定した状態に収めることで、清潔保持ができる。また、チューブの中折れや閉塞の防止、自己抜去の予防が可能となり、それにより、患者の皮膚に接触せずにすむため皮膚トラブル等を防止でき、胃瘻造設からのストレスから解放される。【００１１】  着脱するにおいて、胃瘻患者の上肢に麻痺等があっても無理な力をかけることなく苦痛や負担を軽減できる。【００１２】  着脱するにおいて、介護者に介護の負担をかけることもなく、衣類の交換を容易に行うことが可能となる。
【実施例】
【００１３】  本考案の胃瘻患者用衣類の着脱方法は、以下の要領で行う。
（１）ベッド臥床の患者を側臥位にする。
（２）後身頃を患者の背中になる位置へ正しくシーツの上に敷く。
（３）患者を仰臥位に戻し、前身頃を前胸部から腹部に正しく当てる。
（４）患者の胃瘻チューブを当て布内のチューブ引き出し口より通過させ頭の方（上部）へ向け安定させる。
（５）経管栄養・水分・医薬品等を注入の際は当て布内のチューブを、当て布右下のチューブ引出口横部位より引き出し、カテーテルに連結する。
【産業上の利用可能性】
【００１４】  本考案の胃瘻患者用衣類は、日常着としても利用が可能である。
【図面の簡単な説明】
【００１５】
【図１】本考案の使用状態を示す正面図である。
【図２】当て布の拡大図である。
【図３】本考案の背面図である。
【図４】安静時の胃瘻チューブ位置を示す説明図である。
【図５】経管栄養注入時の説明図である。
【符号の説明】
【００１６】１  上着前身頃
２  後身頃
３  肩ベルト
４  ホック
５  ベルト
６  ベルト通し
７  当て布
Ａ  チューブ引出口
Ｂ  チューブ引出口横部位
Ｃ  胃瘻チューブ
Ｄ  カテーテル
【図１】
0003190176.tif 000003
【図２】
0003190176.tif 000004
【図３】
0003190176.tif 000005
【図４】
0003190176.tif 000006
【図５】
0003190176.tif 000007
【手続補正書】
【提出日】平成25年12月19日(2013.12.19)
【手続補正１】
【補正対象書類名】実用新案登録請求の範囲
【補正対象項目名】全文
【補正方法】変更
【補正の内容】
【実用新案登録請求の範囲】
【請求項１】
上着の前身頃（１）と後身頃（２）と、前記前身頃と後身頃を両肩部で連結する２本の肩ベルト（３Ａ）、（３Ｂ）と、前記２本の肩ベルトの前記前身頃側の先端部分に取り付けられたホック（４Ａ）、（４Ｂ）と、腰部を締めるベルト（５）と、前記前身頃の腰部両端部に取り付けた２個所のベルト通し（６Ａ）、（６Ｂ）と、で構成されることを特徴とする胃瘻患者用衣類。
【請求項２】
前記前身頃の胃瘻チューブ取り付け部分に、胃瘻用チューブ（Ｃ）が貫通可能なチューブ引出口（Ａ）を設け、前記チューブ引出口を覆う縦長の当て布（７）を載置し、該当て布の左右何れか一方の側辺部の全長及び他方の側辺部の上辺部から約６割を縫合することにより、未縫合部をチューブ引出口横部位（Ｂ）としたことを特徴とする胃瘻患者用衣類。 
【手続補正書】
【提出日】平成26年2月26日(2014.2.26)
【手続補正１】
【補正対象書類名】実用新案登録請求の範囲
【補正対象項目名】全文
【補正方法】変更
【補正の内容】
【実用新案登録請求の範囲】
【請求項１】
上着の前身頃（１）と後身頃（２）と、前記前身頃と後身頃を両肩部で連結する２本の肩ベルト（３Ａ）、（３Ｂ）と、前記２本の肩ベルトの前記前身頃側の先端部分に取り付けられたホック（４Ａ）、（４Ｂ）と、前記後身頃の腰部両端部に取り付けた２本のベルト（５Ａ）、（５Ｂ）と、前記前身頃の腰部両端部に取り付けた２個所のベルト通し（６Ａ）、（６Ｂ）と、で構成されることを特徴とする胃瘻患者用衣類。
【請求項２】
前記前身頃の胃瘻チューブ取り付け部分に、前記胃瘻用チューブ（Ｃ）が貫通可能なチューブ引出口（Ａ）を設け、前記チューブ引出口を覆う縦長の当て布（７）を載置し、該当て布の左右何れか一方の側辺部の全長及び他方の側辺部の上辺部から約６割を縫合することにより、未縫合部をチューブ引出口横部位（Ｂ）としたことを特徴とする請求項１に記載の胃瘻患者用衣類。